(57)【要約】      （修正有）【課題】遊技機に外部電力が供給されていない電源遮断時における不正行為を監視できるようにして、セキュリティを向上させる。【解決手段】扉開閉検出センサ６０と、扉開閉検出センサが検出した開閉情報をＲＡＭ５３に記憶させるＣＰＵ５２と、遊技機に外部電力が供給されていないとき、ＣＰＵが動作するために必要なバックアップ電源５５と、遊技機に外部電力が供給されていないとき、扉開閉検出センサからの開閉信号を受けることにより、バックアップ電力を、ＣＰＵがＲＡＭに開閉情報を記憶させるために必要な所定時間だけＣＰＵに供給し、かつ所定時間経過後、ＣＰＵへのバックアップ電力の供給を停止する電源供給制御部５０を備える。【選択図】図４
2008194184.tif 000002
【特許請求の範囲】
【請求項１】
遊技機に対する不正行為を含む異常状態を検出する異常状態検出センサと、
前記異常状態検出センサが検出した異常情報を記憶手段に記憶させる記憶制御部と、
前記遊技機に外部電力が供給されていないとき、前記記憶制御部が動作するために必要な電力を供給可能なバックアップ電源と、
前記遊技機に前記外部電力が供給されていないとき、前記異常状態検出センサからの信号を受けることにより、前記バックアップ電源から電力を、前記記憶制御部が前記記憶手段に前記異常情報を記憶させるために必要な所定時間前記記憶制御部に供給し、所定時間経過後、前記記憶制御部への前記バックアップ電源からの電力の供給を停止する電源供給制御部とを備え、
前記電源供給制御部は、前記遊技機に前記外部電力が供給されていないとき、電力を供給する必要がある電子素子に前記バックアップ電源から電力を供給し、又、前記外部電力が供給されることにより、前記電子素子に、前記バックアップ電源からの電力の供給を停止して前記外部電力を供給する電源切替部を含むことを特徴とする遊技機。
【請求項２】
前記電源供給制御部は、前記遊技機に前記外部電力が供給されているとき、前記外部電力を前記記憶制御部に供給して、前記異常状態検出センサからの信号を受けても、前記記憶制御部に前記バックアップ電源からの電力を供給しないことを特徴とする請求項１記載の遊技機。
【請求項３】
前記異常情報は、前記異常状態検出センサが異常状態を検出したときの日時情報を含むことを特徴とする請求項１又は２記載の遊技機。
【請求項４】
前記異常情報は、前記記憶制御部が前記異常状態検出センサからの信号を受けたときの前記記憶制御部に供給されている電力が、前記外部電力か又は前記バックアップ電源からの電力かを識別する電力供給源識別情報を含むことを特徴とする請求項１〜３のいずれかに記載の遊技機。
【請求項５】
前記異常状態検出センサは、前記遊技機の前記記憶制御部を含む電気部品を収容した筐体に開閉可能に設けられた前扉の開閉を検出する扉開閉検出センサを含むことを特徴とする請求項１〜４のいずれかに記載の遊技機。
【請求項６】
前記記憶制御部は、前記扉開閉検出センサが前記前扉の開閉を検出したときの日時情報を前記記憶手段に記憶させることを特徴とする請求項５記載の遊技機。
【請求項７】
前記記憶制御部は、前記遊技機に外部電力が投入されたときの日時情報を前記記憶手段に記憶させることを特徴とする請求項１〜６のいずれかに記載の遊技機。
【請求項８】
前記バックアップ電源は、放電した後も充電することによって元の状態に戻して繰り返し使用可能な二次電池を含むことを特徴とする請求項１〜７のいずれかに記載の遊技機。
【請求項９】
前記バックアップ電源が出力する電力の定格電圧の値は、外部電力の定格電圧よりも低いことを特徴とする請求項１〜８のいずれかに記載の遊技機。
【発明の詳細な説明】
【技術分野】
【０００１】
本発明は、セキュリティを向上させた遊技機に関する。
【背景技術】
【０００２】
パチンコ機、スロットマシン等のように、遊技者が所定の遊技を行うことが可能な遊技機において、遊技機への外部電源投入時、各種電気部品の診断部位の異常有無を診断して、その診断結果を記憶手段に記憶するとともに、記憶した診断結果を表示装置に表示させるようにしたものがある（例えば、特許文献１参照）。
【０００３】
又、各種電気部品を収容した筐体とこの筐体の前面に開閉可能に設けられた前扉との間に、前扉の開閉を検出する開閉検出センサを設けたものもある（例えば、特許文献２参照）。
【特許文献１】特開平９−２５３３１１号公報
【特許文献２】特開２００３−２４５０５号公報
【発明の開示】
【発明が解決しようとする課題】
【０００４】
しかし、上記特許文献１、２に記載された遊技機においては、例えば、遊技機を生産する生産工場から遊技店に搬送する期間や遊技店の営業時間外等のように、遊技機に外部電源の電力が供給されていない電源遮断時、前扉が不正に開けられて、制御基板に不正行為が行われた事実があったとしても、これを監視する術はなくセキュリティ面で問題がある。
【０００５】
本発明は、上述のような従来の課題に鑑み、遊技機に外部電力が供給されていない電源遮断時における不正行為を監視できるようにして、セキュリティを向上させた遊技機を提供することを目的とする。
【課題を解決するための手段】
【０００６】
本発明によると、上記課題は、次のようにして解決される。
（１）遊技機に対する不正行為を含む異常状態を検出する異常状態検出センサと、前記異常状態検出センサが検出した異常情報を記憶手段に記憶させる記憶制御部と、前記遊技機に外部電力が供給されていないとき、前記記憶制御部が動作するために必要な電力を供給可能なバックアップ電源と、前記遊技機に前記外部電力が供給されていないとき、前記異常状態検出センサからの信号を受けることにより、前記バックアップ電源から電力を、前記記憶制御部が前記記憶手段に前記異常情報を記憶させるために必要な所定時間前記記憶制御部に供給し、所定時間経過後、前記記憶制御部への前記バックアップ電源からの電力の供給を停止する電源供給制御部とを備え、前記電源供給制御部は、前記遊技機に前記外部電力が供給されていないとき、電力を供給する必要がある電子素子に前記バックアップ電源から電力を供給し、又、前記外部電力が供給されることにより、前記電子素子に、前記バックアップ電源からの電力の供給を停止して前記外部電力を供給する電源切替部を含む。
【０００７】
（２）上記(１)項において、前記電源供給制御部は、前記遊技機に前記外部電力が供給されているとき、前記外部電力を前記記憶制御部に供給して、前記異常状態検出センサからの信号を受けても、前記記憶制御部に前記バックアップ電源からの電力を供給しない。
【０００８】
（３）上記(１)又は(２)項において、前記異常情報は、前記異常状態検出センサが異常状態を検出したときの日時情報を含む。
【０００９】
（４）上記(１)〜(３)項のいずれかにおいて、前記異常情報は、前記記憶制御部が前記異常状態検出センサからの信号を受けたときの前記記憶制御部に供給されている電力が、前記外部電力か又は前記バックアップ電源からの電力かを識別する電力供給源識別情報を含む。
【００１０】
（５）上記(１)〜(４)項のいずれかにおいて、前記異常状態検出センサは、前記遊技機の前記記憶制御部を含む電気部品を収容した筐体に開閉可能に設けられた前扉の開閉を検出する扉開閉検出センサを含む。
【００１１】
（６）上記(５)項において、前記記憶制御部は、前記扉開閉検出センサが前記前扉の開閉を検出したときの日時情報を前記記憶手段に記憶させる。
【００１２】
（７）上記(１)〜(６)項のいずれかにおいて、前記記憶制御部は、前記遊技機に外部電力が投入されたときの日時情報を前記記憶手段に記憶させる.
【００１３】
（８）上記(１)〜(７)項のいずれかにおいて、前記バックアップ電源は、放電した後も充電することによって元の状態に戻して繰り返し使用可能な二次電池を含む。
【００１４】
（９）上記(１)〜(８)項のいずれかにおいて、前記バックアップ電源が出力する電力の定格電圧の値は、外部電力の定格電圧よりも低い。
【発明の効果】
【００１５】
本発明によれば、次のような効果が奏せられる。
請求項１記載の発明によると、遊技機に外部電力が供給されていないとき、バックアップ電源からの電力の供給により、記憶制御部が異常情報を記憶手段に記憶させるため、記憶手段に記憶された異常情報に基づいて不正行為を監視することができ、セキュリティの向上を図ることができる。又、異常状態検出センサが異常状態を検出した場合、電力供給制御部は、バックアップ電源からの電力を、記憶制御部が異常情報を記憶手段に記憶させるために必要な所定時間記憶制御部に供給して、所定時間経過後はバックアップ電源からの電力の供給を停止するため、バックアップ電源の消費電力を節約することができ、不正行為を長時間に亘って監視することができる。
さらに、遊技機に外部電力が供給されてないときは、電力を供給する必要がある電子素子にバックアップ電源から電力を供給し、又、外部電力が供給されたときは、電子素子に、バックアップ電源からの電力の供給を停止して外部電力を供給するため、バックアップ電源の電力消費を抑えることができる。
【００１６】
請求項２記載の発明によると、遊技機に外部電力が供給されているとき、異常状態検出センサが異常状態を検出しても、バックアップ電源からの電力を記憶制御部に供給しないため、バックアップ電源の電力消費をより節約することができる。
【００１７】
請求項３記載の発明によると、記憶制御部が記憶手段に記憶させた日時情報に基いて、遊技機の不正の有無を監視することができる。
【００１８】
請求項４記載の発明によると、電力供給源識別情報に基づいて、異常状態が検出されたときが、遊技機に外部電源が供給されているときか否かを識別することができ、遊技機の不正の有無を確実に監視することができる。
【００１９】
請求項５記載の発明によると、前扉の開閉情報に基いて、遊技機の不正の有無を監視することができる。
【００２０】
請求項６記載の発明によると、前扉が開閉された日時情報に基いて、遊技機の不正の有無を監視することができる。
【００２１】
請求項７記載の発明によると、遊技機に外部電力が投入されたときの日時情報に基づいて、異常状態検出センサが検出した日時が、外部電力が投入された日時より前か後かを監視することができ、不正をより確実に監視することができる。
【００２２】
請求項８記載の発明によると、バックアップ電源に二次電池を使用することにより、遊技機の稼働中はバックアップ電源を充電させることができ、長時間バックアップ電源を交換する必要が無くなる。
【００２３】
請求項９記載の発明によると、電源供給制御部や電源切替部は、電圧の差を利用してバックアップ電源と外部電源との出力の切り替えを迅速に行うことができる。
【発明を実施するための最良の形態】
【００２４】
図１は、本発明の一実施形態を適用した遊技機（スロットマシン）の斜視図、図２は、前扉を開けた状態の遊技機の斜視図、図３〜図６は、制御回路の一例を示すブロック図又は回路図、図７は、タイムチャート図、図８は、表示装置に表示される表示例である。なお、以下の説明においては、図１、２における左斜め下方を「前方」とし、図１、２における右斜め上方を「後方」とする。
【００２５】
遊技機１としてのスロットマシンは、前面が開放した正面視矩形の筐体２と、筐体２の左側部に上下方向を向く上下１対のヒンジ軸（図示略）により開閉可能に枢支された前扉３とを備える。
【００２６】
図２に示すように、筐体２内には、遊技を統括的に制御する主制御基板４、遊技に係わる演出の制御及び前扉３の開閉情報を含む異常情報等を出力可能な副制御基板５、複数種類の図柄、数字等で構成される識別情報を変動表示及び停止表示可能な回転リールユニット６、遊技媒体であるメダルを貯留及び払出可能なホッパーユニット７、遊技機１の各種電気部品に外部電源の電力を供給する外部電源供給装置８等の遊技に係わる電気部品が収容されている。なお、各電気部品への外部電源供給装置８の外部電力供給は、主制御基板４を経由して行われる。
【００２７】
筐体２における前扉３に対向する箇所には、前扉３の開閉を検出可能な異常状態検出センサをなす扉開閉検出センサ６０が配設されている。扉開閉検出センサ６０が検出した開閉信号は、副制御基板５に送信される。なお、前扉３の開閉を検出する扉開閉検出センサ６０は、機械的な作動で電気回路を開閉する機能をもつ機械式のリミットスイッチ等が好ましい。
【００２８】
主制御基板４は、不正な改造、交換等を防止するため、透明な基板ボックス内に収容された状態で筐体２内の後板２ａに固定され、基板ボックスに設けられた封止部分を破壊しない限り基板ボックスから取り出せないようになっている。
【００２９】
回転リールユニット６は、外周面に識別情報が印刷又は貼付された左、中、右の３個の回転リール６１と、各回転リール６１を回転させるためのモータを制御するモータ駆動回路６２とを備える。モータ駆動回路６２は、主制御基板４が出力する制御コマンドに基いて、各回転リール６１のモータの回転、停止を制御する。
【００３０】
前扉３の裏面側には、副制御基板５が出力する遊技に係わる情報、演出情報、前扉３の開閉情報及びその他の情報等を表示可能な液晶の表示画面９１を有する表示装置９、副制御基板５が出力する制御信号を中継する中継基板１０、効果音を発生する左右のスピーカ１１、後述のメダル投入部１８に投入されるメダルの真偽を判別し、真のメダルのみをホッパーユニット７に誘導するメダルセレクター１２が設けられている。
【００３１】
前扉３の裏面側周囲の開放側（右側）には、筐体２の適所に係脱可能な上、下のフック１３が枢支されている。フック１３は、筐体２の適所に係合することにより前扉３を閉鎖状態に拘束する。
【００３２】
中継基板１０には、扉開閉検出センサ６０が検出した前扉３の開閉情報及びその他の情報を表示画面９１に表示させるときに操作される異常確認用操作スイッチ１４が設けられている。異常確認用操作スイッチ１４は、遊技店の係員のみが所持しているキーを用いて、フック１３の係合を解除して前扉３を開けた状態でのみ操作可能であって、遊技者は操作することはできない。
【００３３】
図１に示すように、前扉３の前面には、表示装置９の表示画面９１に表示される遊技に係わる情報、演出情報、前扉３の開閉情報及びその他の情報等を透視可能な情報表示窓１５、遊技機１に係わる遊技の履歴データを表示画面９１に表示させるときに操作される遊技情報表示操作スイッチ１６、各回転リール６１の識別情報を３こまずつ透視可能な識別情報表示窓１７、及び遊技を光演出するランプ２７が設けられている。
【００３４】
識別情報表示窓１７の下方には、遊技を開始するときにメダルが投入されるメダル投入部１８、メダルの賭数を最大限（３枚）に設定するＭＡＸベットボタン１９、メダルの賭数を１枚に設定する１ベットボタン２０、全ての回転リール６１を一斉に回転させるときに操作されるスタートレバー２１、各回転リール６１の回転を個別に停止させるときに操作される３個のストップボタン２２、遊技を精算するときに操作される精算ボタン２３、遊技店の係員が所持しているキーにより操作可能なキーシリンダ２４等が設けられている。
【００３５】
キーシリンダ２４をキーにより時計方向へ操作した場合には、フック１３を解除作動させて前扉３を開くことができる。又、キーシリンダ２４をキーにより反時計方向へ操作した場合には、前扉３の裏面側に設けられたリセットスイッチ２５がキー操作を検出して遊技に係わる電気部品のエラーを解除させる。
【００３６】
なお、ＭＡＸベットボタン１９、１ベットボタン２０、スタートレバー２１、各ストップボタン２２及び精算ボタン２３には、それぞれの操作を検出するためのセンサが内蔵されている。
【００３７】
次に、遊技機１の遊技方法について簡単に説明する。遊技者がメダルをメダル投入部１８に投入して、ＭＡＸベットボタン１９（又は、１ベットボタン２０）の操作により遊技の賭数を設定した後、スタートレバー２１を操作して各回転リール６１を一斉に回転させる。そして、所定時間経過後に各回転リール６１に対応する各ストップボタン２２を順次操作して、各回転リール６１を停止させる。
【００３８】
各回転リール６１が停止したときの、識別情報表示窓１７内の有効ライン上に表示される左、中、右の識別情報の組み合わせにより、入賞の有無、及び賞の大小が決定され、入賞態様に応じた数のメダルがホッパーユニット７から前扉３の下部に設けられた受皿３ａに払い出される。そして、入賞のうち特定遊技状態となった場合には、所定の効果音をスピーカ１１から発生させたり、表示装置９の表示画面９１に特定遊技状態に係わる遊技情報や演出情報等を表示させる等して演出効果を高める。
【００３９】
次に、図３を参照して、遊技機１全体の制御回路について説明する。
主制御基板４は、制御プログラム及びデータを記憶したＲＯＭとＣＰＵのワークエリアとして機能するＲＡＭとともに一体型のワンチップＣＰＵとして構成される制御部を有し、ＲＯＭに記憶された制御プログラムにより、一連の制御処理を実行する。
【００４０】
主制御基板４におけるＲＯＭには、遊技機１の遊技に関する基本的なプログラムが記憶されているとともに、各入賞の当選確率、入賞に対するメダルの払出し数等のデータテーブルが書き込まれている。ＣＰＵは、ＲＯＭのプログラムにしたがって遊技制御、例えば、回転ユニット６における回転リール６１の回転、停止の制御等を実行する。
【００４１】
主制御基板４の入力インターフェースには、外部電源供給装置８、ＭＡＸベットボタン１９、１ベットボタン２０、スタートレバー２１、ストップボタン２２、精算ボタン２３、リセットスイッチ２５、メダルセレクター１２を通過したメダルを検出するメダル検出センサ２６等が接続されている。
【００４２】
主制御基板４の出力インターフェースには、ホッパーユニット７、回転リールユニット６のモータ駆動回路６２及び副制御基板５が接続されている。
【００４３】
主制御基板４の制御部は、スタートレバー２１のスタート信号を受けたことを契機に、数値データ更新データにより入賞か否かを抽選し、その抽選結果に基づく制御コマンドを回転リールユニット６のモータ駆動回路６２に送信して、各回転リール６１のモータを個別に制御するとともに、副制御基板５に演出コマンドを送信する。
【００４４】
副制御基板５の入力インターフェースには、主制御基板４、異常確認用操作スイッチ１４、遊技情報表示操作スイッチ１６及び扉開閉検出センサ６０が接続され、又、同じく出力インターフェースには、中継基板１０を経由して、表示装置９、スピーカ１１、ランプ２７が接続されている。
【００４５】
外部電源供給装置８に外部電源が接続されて、遊技機１に外部電力が供給されているとき（例えば、遊技店の営業中）、副制御基板５は、主制御基板４が出力する制御コマンドに基づいて、表示装置９の液晶制御基板９２に表示情報を送信して表示画面９１に文字、画像等を表示させたり、ランプ２７を点灯表示させたり、スピーカ１１から音声、音楽等を出力させたりして演出表示を行う。
【００４６】
副制御基板５は、後述のように、扉開閉検出センサ６０からの開閉信号を受けたときの開閉情報、及び遊技機１に外部電力が投入されたときの日時情報を記憶する。なお、開閉情報としては、扉開閉検出スイッチ６０が前扉３の開閉を検出したときの日時情報、及びそのときの電力源を識別する後述の電力供給源識別情報を含む。
【００４７】
図４に示すように、副制御基板５には、制御プログラム及び各種データを記憶したＲＯＭ５１と、主制御基板４から出力される制御コマンド、外部電源供給装置８が外部電源に接続されたときの外部電源投入信号１０１及び扉開閉検出センサ６０から出力される開閉信号１０２等をＩ／Ｏポート５４を介して読み込む記憶制御部をなすＣＰＵ５２と、ＣＰＵ５２により各種情報が記憶される記憶手段をなすＲＡＭ５３と、外部電力（例えば、定格電圧ＤＣ３．３Ｖ）の供給が停止されているとき（外部電源供給装置８が外部電源に接続されていないか、又は外部電源供給装置８がＯＦＦしているとき）、ＣＰＵ５２が動作するために必要なバックアップ電力（例えば、定格電圧ＤＣ３Ｖ）を供給可能な充電式のバックアップ電源５５と、外部電力又はバックアップ電力により常時駆動可能な時計モジュール５６と、ＲＯＭ５１、ＣＰＵ５２、ＲＡＭ５３及び時計モジュール５６に供給する電力を制御する電源供給制御部５０等が実装されている。なお、本実施形態においては、ＲＡＭ５３及び時計モジュール５６が、本発明における常時、電力を供給する必要がある電子素子をなす。
【００４８】
本実施形態おける記憶手段は、バックアップ電源５５の消費電力を押さえるために、動作時のみ電力を必要するＳＲＡＭ（static random access memory）やフラッシュメモリ（flash memory）等の不揮発性の半導体メモリを用いるが、これに代えて、電源遮断時にもバックアップ電源５５により記憶を保持可能なＤＲＡＭ（dynamic random access memory ディーラム（随時書き込み・読み出し可能メモリ））を用いても良い。
【００４９】
また、バックアップ電源５５としては、ニッケル水素電池、リチウムイオン電池等、放電後も充電することによって元の状態に戻して繰り返し使用可能な二次電池を使用するのが望ましい。勿論、マンガン電池やアルカリ電池等の一次電池を使用することも可能である。
【００５０】
ＣＰＵ５２は、遊技機１に外部電力が供給されていないとき、例えば、遊技機１を生産工場から遊技店に搬送する期間や遊技店の営業時間外の期間、扉開閉検出センサ６０から開閉信号１０２が出力されると、電源供給制御部５０の後述のＣＰＵ電源供給制御部５００から出力されるバックアップ電力によって、それまで停止していたものが起動して、開閉信号１０２を受けたときの日時情報及びそのときの電力供給源がバックアップ電力である旨の電力供給情報をＲＡＭ５３に記憶させる。また、遊技機１が遊技店に据え付けられる等して、外部電源供給装置８が外部電源に接続されて、遊技機１に外部電力が投入されることにより、ＣＰＵ５２は、主制御基板４から送信される外部電源投入信号１０１に基づいて外部電源が投入されたときの日時情報をＲＡＭ５３に記憶させる。さらに、遊技機１に外部電力が供給されている期間、例えば、遊技店の営業時間内、ＣＰＵ５２は、ＣＰＵ電源供給制御部５００から出力される外部電力により駆動しており、扉開閉検出センサ６０からの開閉信号１０２を受けると、そのときの開閉信号を受けたときの日時情報及びそのときの電力供給源が外部電力であることを識別する電力供給情報をＲＡＭ５３に記憶させる。
【００５１】
ＲＡＭ５３に記憶された情報の開閉信号１０２を受けたときの日時情報、電力供給源を識別する電力供給情報及び外部電源が投入されたときの日時情報は、開、閉日時情報２０１、２０２、電力供給源識別情報２０４及び外部電源投入日時情報２０３として、図８に示すように、表示装置９の表示画面９１に表示させることができる。
【００５２】
電源供給制御部５０は、ＲＯＭ５１、ＣＰＵ５２に供給する電力を制御するＣＰＵ電源供給制御部５００と、ＲＡＭ５３及び時計モジュール５６に供給する電力を制御するＲＡＭ電源供給制御部５５０を含んでいる。
【００５３】
図５に示すように、ＣＰＵ電源供給制御部５００は、扉開閉検出センサ６０から出力される開閉信号１０２を信号処理する信号処理部５１０と、開閉信号１０２に基づいてバックアップ電力を出力させるためのバックアップ電源供給制御信号１０３を生成するバックアップ電源投入制御信号生成部５２０と、ＲＯＭ５１及びＣＰＵ５２に供給する電力源６５を外部電力又はバックアップ電力に切替可能なＣＰＵ電源切替部５３０とを有している。
【００５４】
ＲＡＭ電源供給制御部５５０は、ＲＡＭ５３及び時計モジュール５６に供給する電力源を外部電力又はバックアップ電力に切替可能なＲＡＭ電源切替部５６０を含んでいる。
【００５５】
図６に示すように、ＣＰＵ電源供給制御部５００の信号処理部５１０は、扉開閉検出センサ６０に直列に接続される抵抗Ｒ１とコンデンサＣ１からなるＣＲ回路により形成され、扉開閉検出センサ６０から出力される開閉信号のチャタリングを防止する。
【００５６】
バックアップ電源投入制御信号生成部５２０は、両入力端子５２１ａ、５２１ｂが抵抗Ｒ１とコンデンサＣ１の間で、かつ抵抗Ｒ１を介して扉開閉検出センサ６０に接続されるＮＡＮＤゲート５２１と、ＮＡＮＤゲート５２１の出力端子５２１ｃに互いに直列に接続される抵抗Ｒ２とコンデンサＣ２からなり、ＲＯＭ５１及びＣＰＵ５２にバックアップ電力を供給する時間を決定するＣＲ回路（遅延回路）と、両入力端子５２２ａ、５２２ｂが抵抗Ｒ２とコンデンサＣ２の間で、かつ抵抗Ｒ２を介してＮＡＮＤゲート５２１ａの出力端子５２１ｃに接続されるＮＡＮＤゲート５２２と、一方の入力端子５２３ａがＮＡＮＤゲート５２１の出力端子５２１ｃに接続され、他方の入力端子５２３ｂがＮＡＮＤゲート５２２の出力端子５２２ｃに接続されるＮＡＮＤゲート５２３と、一方の入力端子５２４ａがＮＡＮＤゲート５２１の出力端子５２１ｃに接続され、他方の入力端子５２４ｂがＮＡＮＤゲート５２２の出力端子５２２ｃに接続されるＯＲゲート５２４と、一方の入力端子５２５ａがＯＲゲート５２４の出力端子５２４ｃに接続され、他方の入力端子５２５ｂがＮＡＮＤゲート５２３の出力端子５２３ｃに接続され、さらに出力端子５２５ｃがＣＰＵ電源切替部５３０のＥＮＢに接続されるＡＮＤゲート５２５を備えている。
【００５７】
ＡＮＤゲート５２５は、入力端子５２５ａ、５２５ｂの少なくともいずれか一方にｌｏｗ信号が入力されたとき、出力端子５２５ｃからｌｏｗ信号のバックアップ電源供給制御信号１０３を、ＣＰＵ５２がＲＡＭ５３に開閉情報を記憶させるために必要な所定時間だけ出力する。
【００５８】
ＣＰＵ電源切替部５３０は、２チャンネルの電源切替ＩＣを内蔵しており、その入力側のＩＮＡには外部電力が入力され、ＩＮＢにはバックアップ電力が入力され、又、ＥＮＢにはバックアップ電源投入制御信号生成部５２０のＡＮＤゲート５２５から出力されるバックアップ電源供給制御信号１０３が入力される。遊技機１に外部電力が供給されている場合、すなわちＩＮＡに外部電力が入力されている場合には、バックアップ電源供給制御信号１０３がＥＮＢに入力されたか否かに関係なく、ＯＵＴＡから外部電力を出力する。また、遊技機１に外部電力が供給されていないとき、すなわちＩＮＡに外部電力が入力されていないときには、ＥＮＢにバックアップ電源供給制御信号１０３が入力されている期間だけ、ＯＵＴＢからＣＰＵ５２がＲＡＭ５３に開閉情報を記憶させるために必要な所定時間だけバックアップ電力を出力する。又、ＣＰＵ電源切替部５３０のＩＮＡに外部電力が入力され、ＩＮＢにバックアップ電力が入力された場合には、ＩＮＡ及びＩＮＢに入力された電力のうち電圧の高い方の電力がＯＵＴＡ又はＯＵＴＢからＤＣＶ６５として出力される。なお、本発明の実施形態においては、外部電力を電圧３.３Ｖとし、バックアップ電力を電圧３Ｖとしてあるため、ＩＮＡ及びＩＮＢにそれぞれの電力が供給された場合には、ＯＵＴＡから外部電力が供給され、バックアップ電力は出力されない。
【００５９】
ＲＡＭ電源切替部５６０は、ＣＰＵ電源切替部５３０と同一の２チャンネルの電源切替ＩＣ素子を内蔵しており、その入力側のＩＮＡには外部電力が入力され、又、ＩＮＢにはバックアップ電源５５のプラス（ＤＣ３Ｖ）側が接続されてバックアップ電力が入力されている。ＩＮＡ及びＩＮＢにそれぞれの電力が入力されている場合には、ＩＮＡから入力される外部電力の電圧の方が高いので、ＲＡＭ電源切替部５６０は、ＩＮＡから入力された外部電力を、ＯＵＴＡから出力する。又、遊技機１に外部電力が供給されていないときは、ＯＵＴＢからバックアップ電力を出力し、再び、ＩＮＡに外部電力が入力されると、ＲＡＭ電源切替部５６０は、バックアップ電力の出力を停止して、ＯＵＴＡから外部電力を出力して、バックアップ電源５５の電力消費を抑える。また、バックアップ電源５５は、そのプラス側が外部電力と接続されているので、遊技機１に外部電力が供給されている場合、バックアップ電源５５は、そのプラス側から外部電力が供給され、外部電源により充電される。
【００６０】
次に、図７に示すタイムチャートを参照しつつ、遊技機１に外部電力が供給されていないときの電源供給制御部５０におけるＣＰＵ電源供給制御部５００の制御について説明する。
扉開閉検出センサ６０は、前扉３の閉鎖を検出しているときＯＦＦしている。したがって、前扉３が閉鎖しているとき、ＣＰＵ電源供給制御部５００のＣＲ回路Ｒ１、Ｃ１のＡ点の電圧がｈｉｇｈであるため、ＮＡＮＤゲート５２１の両入力端子５２１ａ、５２１ｂにｈｉｇｈ信号が入力されて、出力端子５２１ｃからｌｏｗ信号が出力されている。このとき、ＣＲ回路Ｒ２、Ｃ２のＢ点の電圧がｌｏｗであるため、ＮＡＮＤゲート５２２の両入力端子５２２ａ、５２２ｂにｌｏｗ信号が入力され、その出力端子５２２ｃからｈｉｇｈ信号が出力されている。
【００６１】
ＮＡＮＤゲート５２２の出力端子５２２ｃからｈｉｇｈ信号が出力されているときは、ＮＡＮＤゲート５２３は、その入力端子５２３ａにＮＡＮＤゲート５２１の出力端子５２１ｃから出力されているｌｏｗ信号、入力端子５２３ｂにＮＡＮＤゲート５２２の出力端子５２２ｃから出力されているｈｉｇｈ信号がそれぞれ入力されているため、その出力端子５２３ｃからｈｉｇｈ信号を出力している。又、ＯＲ回路５２４は、その入力端子５２４ａにＮＡＮＤゲート５２１の出力端子５２１ｃから出力されているｌｏｗ信号、入力端子５２４ｂにＮＡＮＤゲート５２２の出力端子５２２ｃから出力されているｈｉｇｈ信号がそれぞれ入力されているため、その出力端子５２４ｃからｈｉｇｈ信号を出力している。
【００６２】
これにより、ＡＮＤ回路５２５は、その両入力端子５２５ａ、５２５ｂにｈｉｇｈ信号が入力されて、その出力端子５２５ｃからバックアップ電源投入制御信号１０３ではないｈｉｇｈ信号を出力し、その信号がＣＰＵ電源切替部５３０のＥＮＢに入力されている。この結果、ＣＰＵ電源切替部５３０は、遊技機１に外部電力が供給されているか否かに関係なく、ＯＵＴＢからバックアップ電力を出力することはない。
【００６３】
扉開閉検出センサ６０が前扉３の開放を検出して開信号１０２を出力すると、その時点（図７に示すａ点）で、ＣＲ回路Ｃ１、Ｒ１の時定数に基づく時間Ｔ１（例えば、２２ｍｓｅｃ）後に、Ａ点の電圧がｌｏｗになる。このため、ＮＡＮＤゲート５２１は、時間Ｔ１経過した時点（図７に示すｂ点）で、両入力端子５２１ａ、５２１ｂにｌｏｗ信号が入力されて、出力端子５２１ｃからｈｉｇｈ信号を出力する。出力端子５２１ｃからｈｉｇｈ信号が出力されると、ＮＡＮＤゲート５２２は、ＣＲ回路Ｃ２、Ｒ２のＢ点の電圧が時間Ｔ２（例えば、３３ｍｓｅｃ）経過してｈｉｇｈに変化するまで、その出力端子５２２ｃからｈｉｇｈ信号の出力を継続する。そして、ＮＡＮＤゲート５２３は、ＮＡＮＤゲート５２１の出力端子５２１ｃからｈｉｇｈ信号が出力された時点で、その出力端子５２３ｃからｌｏｗ信号を出力する。
【００６４】
ＮＡＮＤゲート５２３の出力端子５２３ｃからｌｏｗ信号が出力されると、ＡＮＤゲート５２５は、その入力端子５２５ａにｈｉｇｈ信号、入力端子５２５ｂにｌｏｗ信号がそれぞれ入力されて、出力端子５２５ｃからバックアップ電源投入制御信号１０３をなすｌｏｗ信号を出力し、その信号をＣＰＵ電源切替部５３０のＥＮＢに入力する。これにより、ＣＰＵ電源切替部５３０は、ＯＵＴＢからバックアップ電力を出力する。
【００６５】
そして、ＣＰＵ電源切替部５３０のＯＵＴＢからバックアップ電力を出力してから、時間Ｔ２が経過すると、その時点（図７に示すｃ点）で、ＣＲ回路Ｒ２，Ｃ２のＢ点の電圧がｈｉｇｈになるため、ＮＡＮＤゲート５２２は、その両入力端子５２２ａ、５２２ｂにｈｉｇｈ信号が入力されて、出力端子５２２ｃからｌｏｗ信号を出力する。これにより、ＮＡＮＤゲート５２３は、その入力端子５２３ｂにｌｏｗ信号が入力されて、出力端子５２３ｃからｈｉｇｈ信号を出力する。
【００６６】
ＮＡＮＤゲート５２３の出力端子５２３ｃからｈｉｇｈ信号が出力されると、ＡＮＤゲート５２５は、その入力端子５２５ａ、５２５ｂにｈｉｇｈ信号がそれぞれ入力されて、出力端子５２５ｃからｈｉｇｈ信号を出力する。これを契機に、ＣＰＵ電源切替部５３０は、ＯＵＴＢからのバックアップ電力の出力を停止する。
【００６７】
ＣＰＵ５２は、ＣＰＵ電源供給制御部５００のＣＰＵ電源切替部５３０からバックアップ電力が供給されたことを契機に起動して、遊技機１に外部電力が供給されていないときに遊技機１に異常状態が発生したものと見做して、扉開閉検出センサ６０から出力された開信号１０２を受けたときの日時を時計モジュール５６から読み取ってＲＡＭ５３に記憶させるとともに、そのときの電力源がバックアップ電力である旨の電力供給源情報をもＲＡＭ５３に記憶させ、時間Ｔ２経過後に停止する。
【００６８】
なお、遊技機１に外部電力が供給されていないとき、ＣＰＵ５２に供給されるバックアップ電力は、前扉３が開放している時間に関係なく、ＣＰＵ５２がＲＡＭ５１に前扉３の開閉情報を記憶させるだけに必要な時間Ｔ２だけであるので、前扉３が長時間、開放された状態にあっても、バックアップ電源５５の電力が無駄に消費されることはない。
【００６９】
前扉３が開放状態から閉じられると、その時点（図７に示すｄ点）で、扉開閉検出センサ６０がＯＮからＯＦＦに切り替わって閉信号１０２を出力すると、ＣＲ回路Ｃ１、Ｒ１の時定数に基づく時間Ｔ１後に、Ａ点の電圧がｈｉｇｈになる。このため、ＮＡＮＤゲート５２１は、時間Ｔ１経過した時点（図７に示すｅ点）で、両入力端子５２１ａ、５２１ｂにｈｉｇｈ信号が入力されて、出力端子５２１ｃからｌｏｗ信号を出力する。出力端子５２１ｃからｌｏｗ信号が出力されると、ＮＡＮＤゲート５２２は、ＣＲ回路Ｃ２、Ｒ２のＢ点の電圧が時間Ｔ２経過してｌｏｗに変化するまでの期間、その出力端子５２２ｃからｌｏｗ信号の出力を継続する。そして、ＯＲゲート５２４は、ＮＡＮＤゲート５２１の出力端子５２１ｃからｌｏｗ信号が出力された時点で、その出力端子５２４ｃからｌｏｗ信号を出力する。
【００７０】
ＯＲゲート５２４の出力端子５２４ｃからｌｏｗ信号が出力されると、ＡＮＤゲート５２５は、その入力端子５２５ａにｌｏｗ信号、入力端子５２５ｂにｈｉｇｈ信号がそれぞれ入力されて、出力端子５２５ｃからバックアップ電源投入制御信号１０３をなすｌｏｗ信号を出力し、その信号をＣＰＵ電源切替部５３０のＥＮＢに入力する。これにより、ＣＰＵ電源切替部５３０は、ＯＵＴＢからバックアップ電力を出力する。
【００７１】
そして、ＣＰＵ電源切替部５３０のＯＵＴＢからバックアップ電力を出力してから、時間Ｔ２が経過すると、その時点（図７に示すｆ点）で、ＣＲ回路Ｒ２，Ｃ２のＢ点の電圧がｌｏｗになるため、ＮＡＮＤゲート５２２は、その両入力端子５２２ａ、５２２ｂにｌｏｗ信号が入力されて、出力端子５２２ｃからｈｉｇｈ信号を出力する。これにより、ＯＲゲート５２４は、その入力端子５２４ｂにｈｉｇｈ信号が入力されて、出力端子５２４ｃからｈｉｇｈ信号を出力する。
【００７２】
ＯＲゲート５２４の出力端子５２４ｃからｈｉｇｈ信号が出力されると、ＡＮＤゲート５２５は、その入力端子５２５ａ、５２５ｂにｈｉｇｈ信号がそれぞれ入力されて、出力端子５２５ｃからｈｉｇｈ信号を出力する。これを契機に、ＣＰＵ電源切替部５３０は、ＯＵＴＢからのバックアップ電力の出力を停止する。
【００７３】
ＣＰＵ５２は、ＣＰＵ電源供給制御部５００のＣＰＵ電源切替部５３０からバックアップ電力が供給されたことを契機に再び起動して、遊技機１に外部電力が供給されていないときに遊技機１に異常状態が発生したものと見做して、扉開閉検出センサ６０から出力された閉信号１０２を受けたときの日時を時計モジュール５６から読み取ってＲＡＭ５３に記憶させるとともに、そのときの電力源がバックアップ電力である旨の電力供給源情報をもＲＡＭ５３に記憶させ、時間Ｔ２経過後に停止する。
【００７４】
次に、ＲＡＭ５３に記憶された開閉情報の確認方法について説明する。遊技機１に外部電力が供給されているとき、前扉３を開いて不正確認用操作スイッチ１４を操作することにより、副制御基板５のＣＰＵ５２によりＲＡＭ５３に記憶された情報、例えば、前扉３が開放されたときの開日時情報２０１、前扉３が閉じられたときの閉日時情報２０２、遊技機１に外部電力が投入されたときの外部電源投入日時情報２０３、及び前扉３が開閉されたとき、ＣＰＵ５２に供給された電力が外部電力かバックアップ電力かを識別する電力供給源識別情報２０４を、表示装置９の表示画面９１に、例えば、図８に示すように時系列に表示させて前扉３の開閉情報等を確認することができる。
【００７５】
例えば、図８に示すように、外部電源投入日前に前扉３の開閉情報が表示装置９の表示画面９１に表示された遊技機１は、不正が行われたおそれがあるものとして判断され、入念にチェックされるか、又は新たな遊技機と交換される。
【００７６】
上述により、本実施形態における遊技機は、次のような作用効果を奏する。
（ａ）遊技機１に外部電力が供給されていない電源遮断時に前扉３が開閉された場合、バックアップ電力供給により、ＣＰＵ５２がＲＡＭ５３に前扉３が開放したとき及び閉鎖したときの日時情報をＲＡＭに記憶させるため、ＲＡＭ５３に記憶された開閉情報に基づいて不正行為を監視することができ、セキュリティの向上を図ることができる。
【００７７】
（ｂ）ＣＰＵ５２にバックアップ電力を供給する時間は、ＣＰＵ５２がＲＡＭ５３に開閉情報を記憶させるたけに必要な僅かな時間Ｔ２だけであるため、バックアップ電源５５の消費電力を最小限に抑えることができ、遊技機１の電源遮断時における前扉３の不正な開閉を長期間監視することができ、バックアップ電源５５の容量を小さくして、安価かつ小形のバックアップ電源５５を用いることができる。
【００７８】
（ｃ）外部電源遮断時、前扉３が長時間開いた状態にあっても、ＣＰＵ５２へのバックアップ電力供給時間は、時間Ｔ２だけであるため、バックアップ電源５５の消費電力を最小限に抑えることができる。
【００７９】
（ｄ）電源供給制御部５０のＲＡＭ電源供給制御部５５０は、遊技機１に外部電力が供給されていないとき、バックアップ電力をＲＡＭ５３及び時計モジュール５６に供給し、又、遊技機１に外部電力が供給されたとき、バックアップ電力の供給を停止して、外部電力をＲＡＭ５３及び時計モジュール５６に供給するように切り替わるため、バックアップ電源５５の電力消費を抑えることができる。
【００８０】
以上、本発明の実施形態について説明したが、本発明の要旨を逸脱しない範囲内で、本実施形態に対して、次のような種々の変形や変更を施すことが可能である。
（ｉ）遊技機１を、遊技媒体がメダル（コインを含む）とするスロットマシンに代えて、遊技媒体がパチンコ玉であるパチンコ機、スロットマシン、及びその他の遊技機とする。
（ii）扉開閉検出センサ６０を、機械式のリミットスイッチに代えて、光電式等の非接触形のセンサとする。
（iii）開閉情報を表示させる表示装置としては、上記実施形態のように、前扉３の前面に開閉情報を表示させる表示装置９に代えて、前扉３の裏面又は筐体２内に、開閉情報表示専用の表示装置を別に設ける。
（iv）異常状態検出センサを、前扉３の開閉を検出する扉開閉検出センサ６０に代えて、またはそれに加えて、他の異常状態を検出するものとする。他の異常状態としては、主制御基板４を収容した基板ボックスの脱着、遊技機１の移動等により生じる遊技機１の異常な傾きや振動、及び筐体２内への不正用具の挿入等による異常な圧力負荷の検出等がある。
【図面の簡単な説明】
【００８１】
【図１】本発明の一実施形態を適用した遊技機の斜視図である。
【図２】前扉を開けた状態の遊技機の斜視図である。
【図３】制御回路の一例を示すブロック図である。
【図４】制御回路の要部のブロック図である。
【図５】電源供給制御部のブロック図である。
【図６】電源供給制御部の一例を示す回路図である。
【図７】制御回路の動作タイミングを示すタイムチャート図である。
【図８】表示画面に表示される表示例である。
【符号の説明】
【００８２】
１  遊技機
２  筐体
２ａ  後板
３  前扉
３ａ  受皿
４  主制御基板
５  副制御基板
６  回転リールユニット
７  ホッパーユニット
８  外部電源供給装置
９  表示装置
１０  中継基板
１１  スピーカ
１２  メダルセレクター
１３  フック
１４  異常確認用操作スイッチ
１５  情報表示窓
１６  遊技情報表示操作スイッチ
１７  識別情報表示窓
１８  メダル投入部
１９  ＭＡＸベットボタン
２０  １ベットボタン
２１  スタートレバー
２２  ストップボタン
２３  精算ボタン
２４  キーシリンダ
２５  リセットスイッチ
２６  メダル検出センサ
２７  ランプ
５０  電源供給制御部
５１  ＲＯＭ
５２  ＣＰＵ（記憶制御部）
５３  ＲＡＭ（記憶手段）
５４  Ｉ／Ｏポート
５５  バックアップ電源
５６  時計モジュール
６０  扉開閉検出センサ（異常状態検出センサ）
６１  回転リール
６２  モータ駆動回路
６５  ＤＣＶ
９１  表示画面
９２  液晶制御基板
１０１  外部電源投入信号
１０２  開閉信号
１０３  バックアップ電源供給制御信号
２０１  開日時情報
２０２  閉日時情報
２０３  外部電源投入日時情報
２０４  電力供給源識別情報
５００  ＣＰＵ電源供給制御部
５１０  信号処理部
５２０  バックアップ電源投入制御信号生成部
５２１、５２２、５２３  ＮＡＮＤゲート
５２４  ＯＲゲート
５２５  ＡＮＤゲート
５３０  ＣＰＵ電源切替部
５５０  ＲＡＭ電源供給制御部
５６０  ＲＡＭ電源切替部
Ｒ１、Ｒ２  抵抗
Ｃ１、Ｃ２  コンデンサ
【図１】
2008194184.tif 000003
【図２】
2008194184.tif 000004
【図３】
2008194184.tif 000005
【図４】
2008194184.tif 000006
【図５】
2008194184.tif 000007
【図６】
2008194184.tif 000008
【図７】
2008194184.tif 000009
【図８】
2008194184.tif 000010